(57)【要約】【目的】既に広く普及している碁盤及び碁石をそのまま使用し、手順番号ラベルを用いて対局者自身が対局しながら棋譜を作る器具を提供する。【解決手段】手順番号ラベル（１）は円型にヒレ部を付けた形状にし、テープ状剥離紙（２）に等間隔一列に粘着し、繰出しリール（３）に巻き、ラベル繰出し摺動部（６）によって単純な一動作で一枚ずつ所定位置まで繰出す。ヒレ部裏面には粘着剤を塗布していないため、またテープ状剥離紙（２）が、ここで進行方向を変えているため、ヒレ部は、つまみ易い剥離状態になる。碁石把持枠（７）に一旦置いた碁石は、ここで手順番号ラベル（１）と粘着して一体化する。対局者は普段の所作と同じように碁石をつまんで碁盤紙に置けば手順番号ラベル（１）は碁盤紙に粘着する。【選択図】図１
2005081130.tif 000002
【特許請求の範囲】
【請求項１】
手順番号ラベル（１）は円型にヒレ部をつけた形状にし、その表面は、全面に低粘着剤を塗布し、裏面は円型部には高粘着剤を塗布し、ヒレ部には、粘着剤を塗布しない手順番号ラベル（１）をテープ状剥離紙（２）または剥離性フイルム上に等間隔一列に粘着し、該手順番号ラベル（１）を繰出すラベル繰出し摺動部（６）を、ケース（５）上辺に配置し、ケース先端にはケース（５）より突出した碁石把持枠（７）を形設した手順番号ラベル（１）を用いた囲碁棋譜の作成具。
【発明の詳細な説明】
【発明の詳細な説明】
【技術分野】
【０００１】  本発明は、テープ状剥離紙または剥離性フイルムに粘着した手順番号ラベルとラベル繰出し摺動部、碁石把持枠を用いた囲碁棋譜の作成具に関するものである。
【背景技術】
【０００２】  従来、囲碁の棋譜を作るには、第三者が同席して対局手順を記録する。デジタルカメラで撮影した画像をコンピューターで編集する。コンピューターソフト上で対局し、手順をコンピューターに記憶、再現させる。磁石を埋め込んだ碁石とセンサーを内蔵した碁盤を用いてコンピューターに出力するなどの方法が行われていた。
【発明が解決しょうとする課題】
【０００３】  従来の技術では、そのいずれもが特別に設営された場所、用意された人、特別な装置を必要とし、とても大衆向といえるものではなく、普段、通常の対局に於いては手軽に棋譜を作る方法がなかった。対局者二人が普通に対局しながら、場所を問わず、普段使っている碁盤、碁石を使って、自分たちで棋譜を作る方法を課題として研究をすすめた。
【課題を解決するための手段】
【０００４】  手順番号ラベル（１）（以下「ラベル」という）は、手順番号を付した円型に、ヒレ部を付けた形状にし、その表面は、全面に低粘着剤を塗布し、裏面は円型部には高粘着剤を塗布し、ヒレ部には粘着剤を塗布しない。そのラベル（１）をテープ状剥離紙（２）または剥離性フイルム上に等間隔一列に粘着し、それを繰出しリール（３）に巻き、繰出しリール（３）と動力伝達手段によって互いに連動する巻取リール（４）と共にケース（５）内に配置する。そしてケース上辺に所定距離間を摺動するラベル繰出し摺動部（６）を配置し、ケース先端には、ケース（５）より突出した碁石把持枠（７）を形設し、使用済みのテープ状剥離紙（２）は前記巻取リール（４）に巻取る。本発明は以上の構成よりなる手順番号ラベルを用いた囲碁棋譜の作成具である。
【発明を実施するための最良の形態】
【０００５】  以下、本発明の実施の形態について説明する。
（イ）碁盤上に碁盤のサイズより大き目の紙を置く。この紙には実物大の碁盤目を印刷しておく。碁盤上で動かないようにするため、紙の四方は碁盤の縁に沿って折り、四隅をとめる。紙の色は碁盤の色と同じ黄土色が眼に良い。
（ロ）図１に於いて（３）は繰出しリールで、動力伝達手段によって互いに連動する巻取リール（４）と共に、ケース（５）に配置する。（６）はラベル繰出し摺動部で、ケース上辺に配置し、その上部はケース（５）より露出させる。碁石把持枠（７）はケース（５）より突出して形設する。テープ状剥離紙（２）は、このケース先端を経て巻取リール（４）に巻取る。
（ハ）ラベル（１）の長さは碁石と同じくらいにし、その形状は、円型にヒレ部をつけた形にする。表面には低粘着剤を塗布しておく。裏面は、ヒレ部には、粘着剤を塗布しない。円型部の裏面のみに高粘着剤を塗布しておく。黒番用には、黒地に白抜きの奇数番号を付したラベル（１）を、白番用には白地に黒の偶数番号を付したラベル（１）を、テープ状剥離紙（２）または剥離性フイルム上に等間隔一列に粘着し、それぞれの繰出しリール（３）にコイル状に巻いておく。白番用のラベル文字の向きは黒番用とは逆向きにする。置碁の場合は、白番用は白地に黒の奇数番号を、黒番用には黒地に白抜きの偶数番号のラベル（１）を用意する。碁盤目の交点は３６１であるが、実戦譜は殆どが３００手以内で終了しているので、ラベル枚数は、黒番１５０枚、白番１５０枚で一局をまかなえる。更にラベルの厚さ、繰出しリール（３）の大きさ等の要素を組み合わせれば、１ケース内に複数対局分相応のラベル枚数を収納できる。
（ニ）対局者の黒番は黒番用の、白番は白番用のラベル（１）を収納したケース（５）を、それぞれの掌中に持つ。テープ状剥離紙（２）に粘着したラベル（１）をラベル繰出し摺動部（６）を操作して碁石把持位置まで繰り出す。ラベル繰出し摺動部（６）はケース（５）の上辺を基板とし、両側を包持するように付設したガイド内を摺動する。前方ストッパー（９）と後方ストッパー（１０）を設ける。ラベル繰出し摺動部（６）は中空扁平状の薄手プラスチックまたはビニール等で、その間にテープ状剥離紙（２）を通す。ラベル繰出し摺動部（６）の上部を指で押すと、薄手のプラスチックは可撓性をもっているので、テープ状剥離紙（２）を挟む。テープ状剥離紙（２）の上面に接するプラスチック面には複数の突起（１１）を設け、ラベル（１）表面の低粘着剤との粘着を防ぐ。押圧したまま、前方ストッパー（９）に当たるまで繰出す。ラベル長さとラベル間隔を加えた長さを、ラベル繰出し摺動部（６）が摺動する距離に等しくすると、ラベル（１）を碁石把持位置まで一動作で繰出すことができる。使用の最初と、ラベル位置に修正を加えるときだけ目視で小刻みな繰出しをする。ラベル繰出し摺動部（６）は押圧した指を離すと後方ストッパー（１０）まで戻るようゴム紐などを付ける。押圧して前方ストッパー（９）に当たるまで繰出す、指を離すの繰返しで順次、ラベル（１）を碁石把持位置まで繰出す。ケース（５）は、ラベル繰出し摺動部（６）、碁石把持枠（７）を含めてラベルの文字や繰出し状況が外部からよく判るように、透明ケースにする。
（ホ）ケース（５）は、ケース先端の碁石把持位置で、テープ状剥離紙（２）が急角度で下方に曲がるように形成する。テープ状剥離紙（２）に粘着したラベル（１）は、この位置でヒレ部を含む先行部分が剥離してつまみ易い浮いた状態になる。ヒレ部の裏面には粘着剤を塗布しないのは、この状態を更につくり易くするためである。
（ヘ）碁石把持位置には、碁笥から取り出した碁石を一旦置くための、ケース（５）を基板とした碁石把持枠（７）を形設する。これは碁石の下面と両側面を把持した形になるよう薄手のプラスチックを成型する。薄手のプラスチックは可撓性を有つため、碁石を押し込めば両側は拡がって碁石の両側面を安定して把持し、碁石をつまみ上げると、僅かな力で碁石把持枠（７）から取り上げることができる。
（ト）対局者は碁笥から取った碁石を、一旦、碁石把持枠（７）に置く。即ち碁石把持位置へ繰出されたラベル（１）の上に碁石が載り、ここで碁石の下面に、低粘着剤を塗布したラベル（１）が粘着して一体化する。対局者は碁石把持枠（７）の碁石を指先でつまむと、意識せずに、ラベル（１）を同時につまむことになる。碁盤紙の上に碁石を置けば、ラベル（１）は碁盤紙に粘着する。
（チ）複数対局分のラベル（１）を収納し、且つ、ケース（５）を小型化するには要素の一つとして、ラベル厚みを薄くしなければならない。その分、剥離しにくくなる。ラベル（１）はヒレ部をつけた形にし、且つ、ヒレ部の裏面には粘着剤を塗布しないことによって、碁石把持位置で、ラベル（１）を剥離し易くするためと、指でつまむ面積を広くするため、更に、つまみ上げたとき、高粘着剤が指につかないためである。
（リ）ラベル（１）の一部分に、１００手まで、２００手まで、３００手までを区別する色などを付けておくと、局後の検討に於いて、手順番号を探すのが容易になる。
【発明の効果】
【０００６】  本発明は以上のような構成だから、実施例のようにすると、対局者は、普段使用している碁石、碁盤をそのまま使用し、ラベル繰出し摺動部（６）をその都度見なくとも、ラベル（１）は一枚ずつ、単純な一動作で順次、繰出しができる。碁盤から取った碁石は、一旦、碁石把持枠（７）に置くだけで碁石とラベル（１）は一体化する。その他の所作は普段と同じにするだけで、対局しながら自分の棋譜がつくれる。対局後すぐ碁盤紙上のラベル番号順に碁石を置いて検討できる。碁盤紙をそのままコピーすれば、対局者双方が自分の棋譜を保有することができる。また上級者の指導を受けることもできる。自分の奮闘の棋譜を残せることは大きな喜びであり、向上への更なる励みになる。
【図面の簡単な説明】
【図１】本発明のラベル繰出し機構等を示す正面図である。
【図２】本発明のテープ状剥離紙に粘着した手順番号ラベルを示す平面図である。
【図３】本発明のラベル繰出し摺動部のＡ−Ａ′断面拡大図である。
【図４】本発明の碁石把持枠のＢ−Ｂ′断面拡大図である。
【符号の説明】
（１）  手順番号ラベル
（２）  テープ状剥離紙
（３）  繰出しリール
（４）  巻取リール
（５）  ケース
（６）  ラベル繰出し摺動部
（７）  碁石把持枠
（８）  碁石
（９）  前方ストッパー
（１０）後方ストッパー
（１１）突起
【図１】
2005081130.tif 000003
【図２】
2005081130.tif 000004
【図３】
2005081130.tif 000005
【図４】
2005081130.tif 000006